【事件の表示】
　特許第３３７８８６４号「インクシートセット」の請求項１乃至４に係る特許に対する特許異議の申立てについて、次のとおり決定する。
【結　論】
　訂正を認める。
　特許第３３７８８６４号の請求項１及び２に係る特許を維持する。
【理　由】
１．手続の経緯
　
　本件特許第３３７８８６４号の請求項１及び２に係る発明についての出願は、平成１２年３月３１日に出願された特願２０００−９６８２２号の一部を平成１４年１月１１日に新たな特許出願としたものであって、平成１４年１２月６日にその特許権の設定の登録がなされ、その特許について、松本俊孝より特許異議の申し立てがなされ、取消理由通知がなされ、その指定期間内である平成１６年１月８日に訂正請求（後日取り下げ）がなされ、その後、再度の取消理由通知がなされ、その指定期間内の平成１６年７月２０日に訂正請求（後日取り下げ）がなされ、その後、再々度の取消理由通知がなされ、その指定期間内の平成１６年８月１９日に訂正請求がなされたものである。
　　　
２．訂正の適否
　
（１）訂正の内容
　特許権者の求めている訂正の内容は、以下のとおりである。
　ａ．訂正事項１
　特許請求の範囲の【請求項１】を
「【請求項１】供給側右スプールと動力が伝達される供給側左スプールを介してインクシートカートリッジに装着される供給側芯管、及び巻き取り側右スプールを介してインクシートカートリッジに装着される巻き取り側芯管と、それらの芯管に巻回され、前記巻き取り側芯管の両端間の寸法と略等しい幅寸法を有するインクシートとからなり、インクシートカートリッジに装着され、インクシートを使い終わった後に、インクシートカートリッジから取り外されるインクシートセットにおいて、
　前記巻き取り側芯管の端部に形成された切欠部に係合する係合突起が形成され、前記巻き取り側芯管の内径部に嵌まる筒部を有し、前記巻き取り側芯管の一端にのみ介挿される中間アダプタを備え、
　その中間アダプタの係合突起が前記巻き取り側芯管の切欠部に係合された状態で、前記係合突起が前記巻き取り側芯管に巻き取られる前記インクシートの幅寸法内に収まるように構成され、本体側からの動力が前記インクシートカートリッジに抜け不能に装着された巻き取り側左スプールから前記中間アダプタを介して前記巻き取り側芯管に直接伝達されるように構成され、インクシートカートリッジに取り替え可能に装着されることを特徴とするインクシートセット。」
と訂正する。
　ｂ．訂正事項２ 
　請求項３を削除する。
　ｃ．訂正事項３
　請求項４を削除する。
　ｄ．訂正事項４
　段落【０００７】を
　「【課題を解決するための手段】前記目的を達成するため、請求項１に記載した発明は、供給側右スプールと動力が伝達される供給側左スプールを介してインクシートカートリッジに装着される供給側芯管、及び巻き取り側右スプールを介してインクシートカートリッジに装着される巻き取り側芯管と、それらの芯管に巻回され、前記巻き取り側芯管の両端間の寸法と略等しい幅寸法を有するインクシートとからなり、インクシートカートリッジに装着され、インクシートを使い終わった後に、インクシートカートリッジから取り外されるインクシートセットにおいて、前記巻き取り側芯管の端部に形成された切欠部に係合する係合突起が形成され、前記巻き取り側芯管の内径部に嵌まる筒部を有し、前記巻き取り側芯管の一端にのみ介挿される中間アダプタを備え、その中間アダプタの係合突起が前記巻き取り側芯管の切欠部に係合された状態で、前記係合突起が前記巻き取り側芯管に巻き取られる前記インクシートの幅寸法内に収まるように構成され、本体側からの動力が前記インクシートカートリッジに抜け不能に装着された巻き取り側左スプールから前記中間アダプタを介して前記巻き取り側芯管に直接伝達されるように構成され、インクシートカートリッジに取り替え可能に装着されるものである。」
と訂正する。
　ｅ．訂正事項５
　段落【０００９】を全文削除する。
　ｆ．訂正事項６
　段落【００１０】を全文削除する。
　ｇ．訂正事項７
　段落【００５１】を全文削除する。
　ｈ．訂正事項８
　段落【００５２】を全文削除する。
　　　
（２）訂正の目的の適否、新規事項の有無及び拡張・変更の存否
１）訂正事項１について
　上記訂正事項１は、以下の事項を含んでいる。
　　ａ　請求項１に「供給側右スプールと動力が伝達される供給側左スプールを介してインクシートカートリッジに装着される」と追加し、特許明細書の特許請求の範囲の請求項１に係る発明を特定する「供給側芯管」が「供給側右スプールと動力が伝達される供給側左スプールを介してインクシートカートリッジに装着される」ものであることを限定しようとする。
　　ｂ　請求項１に「供給側芯管、及び」と追加し、句点を挿入することにより明りょうにしようとする。
　　ｃ　請求項１に「巻き取り側右スプールを介してインクシートカートリッジに装着される」と追加し、特許明細書の特許請求の範囲の請求項１に係る発明を特定する「巻き取り側芯管」が、「巻き取り側右スプールを介してインクシートカートリッジに装着される」ものであることを限定しようとする。
　　ｄ　請求項１に「インクシートカートリッジに装着され、インクシートを使い終わった後に、インクシートカートリッジから取り外される」と追加し、特許明細書の特許請求の範囲の請求項１に係る発明を特定する「インクシートセット」が「インクシートカートリッジに装着され、インクシートを使い終わった後に、インクシートカートリッジから取り外される」ものであることを限定しようとする。
　　ｅ　請求項１に「前記巻き取り側芯管の一端にのみ介挿される」と追加し、特許明細書の特許請求の範囲の請求項１に係る発明を特定する「中間アダプタ」が「前記巻き取り側芯管の一端にのみ介挿される」ものであることを限定しようとする。
　　ｆ　請求項１に「前記インクシートカートリッジに抜け不能に装着された巻き取り側左スプールから」と追加し、特許明細書の特許請求の範囲の請求項１に係る発明を特定する中間アダプタを介して前記巻き取り側芯管に直接伝達される「本体側からの動力」が、インクシートカートリッジに抜け不能に装着された巻き取り側左スプールから中間アダプタへ伝達されることを限定しようとする。
　上記ａ乃至ｆに関連する事項として、願書に添付した明細書及び図面（以下、「特許明細書等」という。）には、
「供給側の芯管４０及び巻取り側の芯管４１の各右端（記録紙４の排出側から見て右側）に嵌合する供給側右スプール３７と巻取り側右スプール３９」（【００２７】）、
「供給側の芯管４０の左端に嵌合する供給側左スプール３６は、前記芯管４０の左端部内径に嵌まり」（【００２８】）、
「プラテン１７及びインクシートカートリッジ２０における歯車部４５及び伝動歯車４７に動力が伝達され、」（【００４４】）、
「他方、巻取り側の芯管４１の左端に嵌合する巻取り側左スプール３８は、カートリッジ本体３０の一側板３１ａの軸孔５０に抜け不能に装着されるものであって」（【００２９】）、
「ユーザは購入した交換用インクシート２１（前記芯管４０及び４１と中間アダプタ７０とがセットになったもの）をそのまま画像形成装置に装着すれば良い」（【００４６】）、
「一つの芯管４１の一端にのみ中間アダプタが介挿される状態となるので」（【００４１】）、
「他方、巻取り側の芯管４１の左端に嵌合する巻取り側左スプール３８は、カートリッジ本体３０の一側板３１ａの軸孔５０に抜け不能に装着されるものであって」（【００２９】）が、図示と共に記載されている。
　してみると、上記ａ及びｃ〜ｆは、特許明細書等に記載されていた事項の範囲内で限定するものであり、上記ｂは明りょうでない記載の釈明に該当する。
　したがって、上記訂正事項１は、特許請求の範囲の減縮及び明りょうでない記載の釈明を目的とし、新規事項の追加に該当せず、実質上特許請求の範囲を拡張し又は変更するものでもない。
２）訂正事項２、３について 
　上記訂正事項２及び３の訂正は、請求項を削除するものであるから、特許請求の範囲の減縮を目的とし、新規事項の追加に該当せず、実質上特許請求の範囲を拡張し又は変更するものでもない。
３）訂正事項４乃至８について
　上記訂正事項４乃至８の訂正は、上記訂正事項１乃至３の訂正に伴い、特許請求の範囲の記載と発明の詳細な説明の記載との整合を図るため、発明の詳細な説明の記載を訂正したものであるから、明りょうでない記載の釈明を目的とし、新規事項の追加に該当せず、実質上特許請求の範囲を拡張し又は変更するものでもない。　
　
（３）訂正の適否のまとめ
　
　以上のとおりであるから、上記訂正は、特許法第１２０条の４第２項及び同条第３項において準用する第１２６条第２項及び第３項の規定に適合するものであるから、当該訂正を認める。　
　　　　　
３．特許異議申し立てについての判断
　
（１）申立の理由の概要
　
　申立人松本俊孝は、証拠として、甲第１号証（特開平２−２０８０８０号公報）、甲第２号証（特開平３−２１３３８１号公報）、甲第３号証（特開平４−３２７９７０号公報）及び甲第４号証（実願平３一６２３５８号（実開平５−１３７６４号）のＣＤ−ＲＯＭ）を提出し、本件請求項１乃至４に係る発明は、これらに記載された発明に基づいて、当業者が容易に発明をすることができたものであるから、特許法第２９条第２項の規定により特許受けることができない旨の主張をしている。
　　　
（２）本件発明
　
　本件請求項１に係る発明は、上記訂正によって訂正された明細書の特許請求の範囲の請求項１に記載された事項により特定されるとおりのものであり（上記訂正事項１参照）、請求項２に係る発明は、訂正明細書の特許請求の範囲の請求項２に記載された以下の事項により特定されるとおりのものである。
「前記中間アダプタの筒部の外周面に、凸条が形成されたことを特徴とする請求項１記載のインクシートセット。」。 
　　　　
（３）甲各号証に記載された発明
　
　申立人の提出した上記甲各号証には、本件請求項１及び２に係る発明に関連する事項として、以下のような事項が記載されている。
　　
　ア．甲第１号証
ａ．「この発明は、プリンタやタイプライタなどのような印字装置に、インクリボンを装着するインクリボン装着装置に関する。プリンタやタイプライタなどの印字装置において、インクリボンは消耗品であり、使用状況によっては非常に頻繁に交換する必要がある。したがって、リボンの交換が容易でありしかも低コストのインクリボン装着装置がユーザから求められている。〔従来の技術〕印字装置におけるインクリボンの交換は、従来は、インクリボンをロール状に巻いたリボンロール単体だけを交換するか、インクリボンをプラスチック製のケースに装填したリボンカートリツジ形式で交換していた。」（２頁左上欄４〜１８行）
ｂ．「本発明のインクリボン装着装置は、実施例を説明するための第１図に示されるように、インクリボン１を巻回したリボンコア２と、上記インクリボン１の巻取り側端部が係止されて上記リボンコア２と平行に設けられた巻取りコア４と、上記巻取りコア４の先端部に設けられ、印字装置側から回転駆動される回転伝達手段３と、上記リボンコア２と巻取りコア４とを各々回転自在に基部側から支えるように設けられたホルダー５と、上記インクリボン１の印字装置装着時の走行形状に合わせて形成され、外面に上記インクリボン１を沿わせて、上記ホルダー５に対して取り外し自在に設けられたリボンガイド６とを有することを特徴とする。．．．インクリボン装着装置を印字装置に挿入すると、インクリボン１は、リボンガイド６に沿った状態で所定の走行位置に案内される。そして、その状態でリボンガイド６をホルダー５から取り外せば、インクリボン１は所定位置に残り、」（第２頁右上欄１２行〜同頁左下欄１３行）
ｃ．「図中、１はインクリボンであり、細長い筒状のリボンコア２の周囲に巻回され、その巻取り側端部は、リボンコア２と同形状に形成された巻取りコア４に、直接またはテープなどにより貼着されて係止されている。」（第２頁右下欄４〜８行）
ｄ．「両コア２，４は平行に配列されており、各コア２，４の先端部分にはプリンタ側の回転駆動部材（図示せず）と係合して各コア２，４に回転を伝達する回転伝達片３０，３が差し込まれている。」（第２頁右下欄８〜１２行）
ｅ．「２１，４１はコア２，４の口元に穿設された係合溝、３０１，３１は、その係合溝２１，４１に係合するように回転伝達片３０，３に突設された突起である。」（第２頁右下欄１２〜１５行）
ｆ．「回転伝達片３０，３は先細りのテーパ状に形成されている。そして、その中央には、プリンタ側の回転駆動部材の突出中心軸が嵌合する位置決め孔３０２，３２が穿設され、口元内部のテーパ面３０３，３３にはローレット溝が形成されていて、プリンタ側の回転駆動部材から回転が伝達されるようになっている。」（第２頁右下欄１６行〜第３頁左上欄２行）
ｇ．「両コア２，４の基部側はホルダー５によって各々が回転自在に、かつ平行を維持するように支持されている。５１は両コア２，４内にゆるく嵌挿された芯棒であり、この芯棒５１によって両コア２，４の平行が維持され、両コア２，４は芯棒５１によって回転自在に軸支されている。．．．（中略）．．．６は、両コア２，４の間でインクリボン１を外面に沿わせて配置されたリボンガイドであり、．．．（中略）．．．ホルダー５に同形状に穿設された案内溝５５に挿脱自在に挿通されている。」（第３頁左上欄３行〜右上欄２行）」
ｈ．「インクリボン１が、リボンガイド６の外面に沿った状態で、コア２，４などと共にプリンタ側フレームの奥まで挿入されると、その先端の回転伝達片３０，３にプリンタ側の回転駆動部材が係合して位置決めされる。基部側では、ホルダー５の位置決め用孔５７にプリンタ側の位置決めピンが係合して位置決めされる。」（第３頁左下欄１８〜右下欄４行）
ｉ．「インクリボン１が使い果たされて、プリンタから取り外すときには、ロックレバー９６を第４図の状態に持ちあげておいて、ホルダー５の取手５４を引張ることによって、使用済のインクリボン１がコア２，４などと共に取り出される。」（第３頁右下欄１４〜１８行）
ｊ．図面には、回転伝達片３の巻取りコア４に差し込まれる部分が筒状になっており、筒状部分に突起３１が突設され、巻取りコア４の口元に穿設された係合溝４１に係合し（第１、２図）、インクリボン１と巻取りコア４の左端は一致しており、係合した状態で突起３１は、巻き取られたインクリボンの幅寸法内に収まっている（第１図）様子が示されている。
　
　イ．甲第２号証
ｋ．「巻取りコア２ｂの幅よりインクシート１の幅が小なる場合は．．．」（第２頁左下欄７〜８行）
ｌ．図面には、インクシート１がコアの両端一杯の幅で供給側コア２ａと、巻き取り用コア２ｂに巻かれた様子（第２図、第５図）が示されている。
　
　ウ．甲第３号証
ｍ．「シート巻取りボビン（２）は、従来のインクシートカートリッジの供給側ケーシング部の収容位置に、従来の収容空間よりも狭い占有スペースで収容され、一方の端部に設けた被係合部が巻取りリール台（７）に係合して、熱転写記録装置内に保持される。巻取りリール台（７）がシート巻取り方向に回転駆動されると、シート巻取りボビン（２）が巻取りリール台（７）と一体に回転し、シート供給本体（１）内からインクシート（３）を引き出して巻き取る。」（段落０００８）
ｎ．「インクシートカートリッジ（１０）を着脱可能に装填すべきシート繰出し機構（５）は、図３及び図４に示す如く、左右一対の側板（５１）（５２）間にプラテンローラ（４）を架設すると共に、一方の側板（５１）にはカートリッジ挿入孔（５５）を開設し、他方の側板（５２）にはリール台臨出孔（５０）（５９）を開設して、シャーシ（５３）上の供給リール台（６）及び巻取りリール台（７）を夫々臨出させている。」（段落００１３）
ｏ．「供給リール台（６）は従来装置と同じ構成である。巻取りリール台（７）には、リール台本体を構成する円筒体の端面に周方向へ凹凸を形成して、前記シート巻取りボビン（２）の係合爪（２１）と係合可能な複数の係合爪（７１）を設けている。」（段落００１４）
　
　エ．甲第４号証
ｐ．「２６は紙管２５の一端部に挿入され、パウダークラッチ２２に保持されている第１のフランジ部材であり、この第１のフランジ部材２６は、紙管凹部２５ａに係合するフランジ凸部２６ａと、クラッチ凸部２２ａに係合するフランジ凹部２６ｂとを有している。２７は紙管２５の他端部に挿入され、供給側軸受ハウジンヴ２３に保持されている第２のフランジ部材であり、この第２のフランジ部材２７は、供給側軸受２３ａに支持される供給側軸部２７ａと、ハウジンゲ凹部２３ｂに当接する段部２７ｂとを有している。２８は紙管２５，第１及び第２のフランジ部材２６，２７からなる供給側巻付軸である。」（段落００１３）　
ｑ．「３４は一端部に第１のフランジ部材２６が挿入された巻取側の紙管２５の他端部に挿入され、巻取側軸受ハウジング３２に保持されている第３のフランジ部材であり、この第３のフランジ部材３４は、巻取側軸受３２ａに支持される巻取側軸部３４ａを有している。３５は紙管２５，第１及び第３のフランジ部材２６，３４からなる巻取側巻付軸である。」（段落００１６）
　　　　
（４）対比判断
　
　本件請求項１に係る発明と上記甲各号証に記載された発明とを対比すると、
　上記甲各号証のいずれにも、本件請求項１に係る発明の特定事項である「巻き取り側芯管の端部に形成された切欠部に係合する係合突起が形成され、前記巻き取り側芯管の内径部に嵌まる筒部を有し、前記巻き取り側芯管の一端にのみ介挿される中間アダプタを備え」る点、すなわち、本体側からの動力が供給側左スプールと巻き取り側左スプールを介して、それぞれ供給側芯管と巻き取り側芯管に伝達されるインクシートセットにおいて、中間アダプタが、前記供給側芯管の一端には介挿されずに、前記巻き取り側芯管の一端にのみ介挿される点について、記載も示唆もされておらず、また、この点は、当該技術分野において、周知のことでもない。
　そして、本件請求項１に係る発明は、該点を特定事項とすることにより、本件特許明細書に記載された「一つの芯管の一端にのみ中間アダプタが介挿される状態となるので、内径が前記中間アダプタに適合しない芯管を使用する巻き取り側スプールは本発明のインクシートカートリッジに装着できず、正規のファクシミリ装置等の画像形成装置に誤って、品質の異なるインクシートが装着されるという誤使用がなくなり、正規のインクシートを使用しないことによる印字品質の悪化、印字不良等のトラブルを防止することができたり、正規のインクシートを使用すれば発揮できる正常な印字性能を発揮できなくなる等、画像形成装置が正常に作動しなくなるというトラブルが解消できるという効果を奏する。」（段落【００４６】）という、上記甲各号証のいずれにも記載されていない作用効果を奏するものである。
　
　したがって、本件請求項１に係る発明は、上記甲第１〜４号証に記載されたものから、当業者が容易に発明をすることができたものとすることができない。
　
　また、本件請求項２に係る発明は、本件請求項１に係る発明の特定事項の全てを備え、その一部を技術的に特定するものであるから、本件請求項１に係る発明の上記判断と同様な理由で、上記甲第１〜４号証に記載されたものから、当業者が容易に発明をすることができたものとすることができない。
　
（５）むすび
　以上のとおりであるから、特許異議申し立ての理由及び証拠方法によっては、本件請求項１及び２に係る発明についての係る特許を取り消すことができない。
　また、他に本件請求項１及び２に係る発明についての特許を取り消すべき理由を発見しない。
　よって、結論のとおり決定する。
【異議決定日】
平成１６年１０月２８日（２００４．１０．２８）
【訂正の要旨】
審決（決定）の【理由】欄参照。
（５４）【発明の名称】
インクシートセット
（５７）【特許請求の範囲】
　【請求項１】
供給側右スプールと動力が伝達される供給側左スプールを介してインクシートカートリッジに装着される
、
巻き取り側右スプールを介してインクシートカートリッジに装着される
なり、インクシートカートリッジに装着され、インクシートを使い終わった後に、インクシートカートリッジから取り外される
　前記巻き取り側芯管の端部に形成された切欠部に係合する係合突起が形成され、前記巻き取り側芯管の内径部に嵌まる筒部を有し、
前記巻き取り側芯管の一端にのみ介挿される
　その中間アダプタの係合突起が前記巻き取り側芯管の切欠部に係合された状態で、前記係合突起が前記巻き取り側芯管に巻き取られる前記インクシートの幅寸法内に収まるように構成され、本体側からの動力が
前記インクシートカートリッジに抜け不能に装着された巻き取り側左スプールから
　【請求項２】前記中間アダプタの筒部の外周面に、凸条が形成されたことを特徴とする請求項１記載のインクシートセット。
【発明の詳細な説明】
　【０００１】
　【発明の属する技術分野】
　本発明は、プリンタやファクシミリ装置等の画像形成装置に使用するための、インクシートセットに関するものである。
　【０００２】
　【従来の技術】
　サーマルプリンタを用いて普通紙などの記録紙に印刷する場合、交換の容易性及び取扱の簡便さから通常はインクリボンカートリッジが用いられる。そして、サーマルプリンタがラインプリンタである場合、幅広のインクシートを用いている。従来のこの種のインクシートカートリッジは、例えば、実開平６−８１７４９号公報や特開平１０−１９３７３２号公報等に示すように、カートリッジ本体に対してインクシートを交換するため、インクシートの供給側スプールと、巻き取り側スプールとを、それぞれ回転可能に支持でき、且つ着脱自在に構成されていた。
　【０００３】
　また、従来から、前記供給側スプール及び巻き取り側スプールの一側には、画像形成装置の本体側から動力を伝達して各スプールを回動ずるための歯車部を備えており、前記インクシートに適度のテンションを掛けながら巻き取るための、いわゆるトルク伝達部として、インクシートを巻き取る芯管の一端に開放する切欠き溝を設ける一方、前記駆動側の歯車部を備えたスプールには前記切欠き溝に嵌まる係合突起を備え、該係合突起を前記切欠き溝にセットする。そして、前記歯車部を画像形成装置本体側の伝動部（歯車）に噛み合わせるように、インクシートカートリッジを組み込むことが行われていた。
　【０００４】
　【発明が解決しようとする課題】
　ところで、使用すべきインクシートの厚さ、幅寸法やシート材質に応じて、必要な最大トルクが変わる。しかしながら、前記寸法やシート材料を変更する毎に芯管の内径や外径寸法を変更すると、その度にインクシートカートリッジ側のスプール側の前記芯管の内径に嵌まる部分の直径も変更しなければならず、製造コストが高くなるという問題があった。
　【０００５】
　【０００６】
　本発明は、前記従来の問題点に鑑みて提案されたものであって、供給するインクシートの厚さや幅寸法、シート材質等に応じて芯管の直径を変更してもトルク伝達が可能で、且つ簡単な構成で本体側から伝達される動力を芯管に確実に伝達することができるようにしたインクシートセットを提供することを目的とするものである。
　【０００７】
　【課題を解決するための手段】
　前記目的を達成するため、請求項１に記載した発明は、
供給側右スプールと動力が伝達される供給側左スプールを介してインクシートカートリッジに装着される
、
巻き取り側右スプールを介してインクシートカートリッジに装着される
なり、インクシートカートリッジに装着され、インクシートを使い終わった後に、インクシートカートリッジから取り外される
前記巻き取り側芯管の一端にのみ介挿される
前記インクシートカートリッジに抜け不能に装着された巻き取り側左スプールから
　【０００８】
　そして、請求項２に記載の発明は、請求項１に記載のインクシートセットにおいて、前記中間アダプタの筒部の外周面に、凸条が形成されている。
　【０００９】
　【００１０】
　【００１１】
　【発明の実施の形態】
　次に、本発明の好ましい実施の形態を、図面を参照しつつ具体的に説明する。
　【００１２】
　図１はインクシートカートリッジ２０を装着したファクシミリ装置１の側断面図、図２はインクシートカートリッジ２０のセット部の要部拡大側断面図、図３はインクシートカートリッジ２０の平面図、図４はインクシートカートリッジ２０の斜視図、図８はインクシートカートリッジの部品の分解斜視図、図９は巻き取り側のスプール連結部の斜視図である。
　【００１３】
　先ず、画像形成装置としてのファクシミリ装置１の構造について概略説明する。なお、本実施形態のファクシミリ装置１は、原稿８から画像等を読取り、その画像データをファクシミリデータとして電話回線等の通信回線を介して他のファクシミリ装置に送信すると共に電話回線等の通信回線を介して他のファクシミリ装置から送信されたファクシミリデータを受信して記録紙４にその画像を形成する、通常のファクシミリ装置としての機能の他、パーソナルコンピュータやワードプロセッサ等からプリンタケーブルまたは赤外線等の無線を介して伝送されてきたプリントデータを受けてそのデータに応じて画像を形成するプリンタとしての機能を有する。
　【００１４】
　ファクシミリ装置１の本体ケース２の一側には、図示しない受話器が配置されている。上面開放状の本体ケース２の上面を覆う上カバー体６は、その後端の回動支点６ａを中心にして本体ケース２の上部後端に上下回動可能に枢着されている。上カバー体６の上面前部側には、キースイッチ３ａや液晶表示装置３ｂなどを有する操作パネル３が設けられている。この操作パネル３も、原稿８の送り不良等に際して、原稿８を除去するために前側を上向きに開き回動できるように構成されている。また、本体ケース２の上面後部には記録紙４を斜め下向き状の立てた状態で積層して載置するための給紙台５が、上カバー体６の後部に対して回動可能に設けられ、本体ケース２の上面前後中途部には原稿台７が着脱可能に装着されている。
　【００１５】
　本体ケース２内には、前記操作パネル３の下方位置に、前記原稿台７からの原稿８を搬送するためのフィードローラ対９と、密着型イメージスキャナ部（ＣＩＳ）１０とその読取り部の上側に配置した原稿押え体１１と、排紙ローラ対１２とが配置されている。
　【００１６】
　前記給紙台５の下方の本体ケース２内には、給紙台５からの記録紙４を一枚ずつ搬送するための給紙ローラ１５とその上周面にばねにて付勢された分離パッド１６等からなる給紙部１４が備えられている。
　【００１７】
　この給紙部１４の下方には、印字部としてのローラ状のプラテン１７と、該プラテン１７の下面に向かってばね１８により付勢された印字台１９上のサーマルヘッド２２と、該印字台１９に対して前後方向に跨がるように配置するインクシートカートリッジ２０のための収納部１３とが配置されている（図１参照）。
　【００１８】
　前記収納部１３内のインクシートカートリッジ２０は、インクシート２１の供給側シートスプール２５が本体ケース２の後部側に配置され、巻取り側シートスプール２６が本体ケース２の前側となり、且つ供給側シートスプール２５側が高い位置で、巻取り側シートスプール２６側が低い位置となるように、前傾状（ヒップアップ状）に配置されている。従って、前記収納部１３の下方は、本体ケース２における下面後部側に位置することになり、インクシートカートリッジ２０の前傾配置の構成と相俟って、本体ケース２の下面後部に大きい空間が形成される。しかして、この空間、即ち、前記収納部１３の下方には、ファクシミリ装置１の操作等を実行するための制御用基板２９を配置するのである。
　【００１９】
　供給側シートスプール２５から前方の巻取り側シートスプール２６に巻回したインクシート２１は、サーマルヘッド２２及びバネ板製のテンション体２３の頂面を通過し、巻取り側シートスプール２６の下周面側に至る。このとき、インクシート２１のインク面は上面にある。インクシート２１の上面（インク面）に重なる記録紙４は、プラテン１７とサーマルヘッド２２とが重合する印字部にて印刷されたのち、インクシートカートリッジ２０における巻取り側シートスプール２６側の上部に形成された搬送シュートの機能を有する仕切り板２４の上面を通過し、排紙ローラ対２８を介して、本体ケース２の前方に排紙される。なお、前記上カバー体６の下面には下向きに突出した複数枚のリブ状の搬送シュートの上シュート部２７がプラテン１７を挟んで搬送上流側から下流側まで延びるように配置され、前記インクシートカートリッジ２０における仕切り板２４との間で記録紙４が通過できるように構成されている。
　【００２０】
　他方、インクシート２１は前記テンション体２３の頂面にて下向きに屈曲され、仕切り板２４の下面側を通過し、巻取り側シートスプール２６の下周側で巻き取られるように構成されている。
　【００２１】
　次に、インクシートカートリッジ２０の構成について、図３〜図１１を参照しながら詳述する。
　【００２２】
　このインクシートカートリッジ２０は、カートリッジ本体３０と、インクシート２１と、供給側シートスプール２５としての左右一対の供給側スプール３６，３７と、巻取り側シートスプール２６としての左右一対の巻取り側スプール３８，３９とにより構成されている。
　【００２３】
　前記各スプール３６，３７，３９は、インクシート２１を巻回するための芯管４０、４１の両端に各々着脱可能に嵌挿するフランジつき軸部であり、例えば合成樹脂材の射出成形等にて一体的に形成され、一つのスプール３８のみ複数の部品を組み合わせて構成されている。
　【００２４】
　次に、カートリッジ本体としてのカートリッジ本体３０の構成について、図３〜図８を参照して説明する。カートリッジ本体３０は、インクシート２１の左右両側外側を囲むようにしてシート供給側から巻き取り側にのびる左右一対の側板３１ａ，３１ｂと、該一対の側板３１ａ，３１ｂにインクシート２１の供給側の巻回部の上側を覆うように連結する左右両側長手の上カバー片３２と、同じく一対の側板３１ａ，３１ｂにインクシート２１の巻き取り側の上部間を覆う仕切り板２４とから構成されており、合成樹脂材にて射出成形により一体的に制作されたものである。従って、左右長手の供給側上カバー片３２と巻取り側の仕切り板２４と左右両側板連結片３１ａ，３１ｂとで囲まれた部位は、インクシート２１が露出する窓孔部となり、該窓孔部の上側からローラ状のプラテン１７が臨み、窓孔部の下方からは印字台１９とサーマルヘッド２２及びテンション体２３が臨むことになる（図１及び図２参照）。また、前記仕切り板２４の左右両側端部もしくは左右一対の側板３１ａ，３１ｂから鰭状などの摘み部３５、３５が上向きに突設されている。
　【００２５】
　そして、前記各側板３１ａ，３１ｂには、前記巻き取り側左スプール３８の箇所を除き、供給側右スプール３７及び巻取り側右スプール３９の各外軸４４や供給側左スプール３６における支持軸部がそれぞれ遊嵌する一端開放型の軸支持溝部３３が形成されている（図６及び図８参照）。なお、軸支持溝部３３に連設し、かつ半径外向きに延びるように各側板３１ａ，３１ｂに切欠き形成された開放溝３４により、各外軸４４（支持軸部）をその軸線が前記軸支持溝部３３に対して略交叉する状態で上向きに押し込むとき、各軸支持溝部３３の下部開放溝縁間の幅寸法が弾性的に拡張するが、自由状態では各外軸４４（支持軸部）が各軸支持溝部３３に対して脱落しないように構成されている。
　【００２６】
　インクシート２１は、広幅の樹脂フィルムの片面全体にインク層を形成したものであり、図８に示すように、１対の紙製等の円筒状の芯管４０，４１に巻回されている。インクシート２１のインク層に記録紙４を対面させるようにして、プラテン１７とラインプリンタであるサーマルヘッド２２の記録面とにより挟み込んで、画像データに応じてサーマルヘッド２２の発熱抵抗体に通電することにより、１ラインずつ記録紙４に画像が形成される。
　【００２７】
　供給側の芯管４０及び巻取り側の芯管４１の各右端（記録紙４の排出側から見て右側）に嵌合する供給側右スプール３７と巻取り側右スプール３９とは図８に示すように同一形状であって、前記芯管４０（４１）の右端部内径に嵌まる内筒部４２と、大径のフランジ部４３と、後述するカートリッジ本体３０に対して回転自在に配置される支持軸部としての小径の円筒状の外軸４４とにより構成されている。
　【００２８】
　供給側の芯管４０の左端に嵌合する供給側左スプール３６は、前記芯管４０の左端部内径に嵌まり、切欠き溝に係合する係合爪４２ａ付きの内筒部４２と、大径のフランジ部４３と、該フランジ部４３の外側に設けて後述するカートリッジ本体３０に対して回転自在に配置される支持軸部（図示せず）とその外側に設けられた歯車部４５と、により構成されている（図８参照）。
　【００２９】
　他方、巻取り側の芯管４１の左端に嵌合する巻取り側左スプール３８は、カートリッジ本体３０の一側板３１ａの軸孔５０に抜け不能に装着されるものであって、前記一側板３１ａの外側に配置される伝動歯車４７付きの第１回転部材４６と、該第１回転部材４６に前記一側板３１ａの内側から連結されるフランジ４８ａ付きの軸部４８とにより構成されている。そして、前記フランジ付き軸部４８における基部４８ｂと芯管４１との間には、合成樹脂材を射出成形してなる筒状の中間アダプタ７０を介挿する。本実施形態における中間アダプタ７０は、前記基部４８ｂの外径と芯管４１の内径との間にきっちりと嵌まる筒部７０ａと、前記基部４８ｂに突設するフランジ４８ａの側面に摺接可能な大径の鍔部７０ｂと、該鍔部７０ｂの側面であって前記フランジ４８ａの側面にその周方向に沿って一定間隔で穿設された複数個の係止孔７１に係合する二股条の第１係合突起７２と、前記筒部７０ａの外周に突設して、芯管４１における切欠き溝６０に嵌合する第２係合突起７３とにより一体的に形成されているものである（図１３（ａ）及び図１３（ｂ）参照）。
　【００３０】
　なお、筒部７０ａには、芯管４１に対して嵌め込み時に撓み易くなるように軸線方向に長い複数の切り溝７４が形成され、また、芯管４１に対して嵌め込み易くなるように筒部７０ａの外周に凸条が形成されている。
　【００３１】
　図１０（ａ）、図１０（ｂ）、図１０（ｃ）及び図１０（ｄ）は、ナイロン樹脂製等の合成樹脂材の第１回転部材４６を示し、伝動歯車４７の内径部には、内筒部４６ａを軸線に沿って長く形成し、この内筒部４６ａの一側切欠き部４６ｃには、前記軸線方向に沿って延びる棒状の弾性体５１を一体的に形成する。この弾性体５１の自由端側には係止爪５１ａが半径外向きに一体的に形成されているが、この弾性体５１及び係止爪５１ａは、本発明においては必須の要件ではなく、細い内径の芯管４１を使用した場合に、当該芯管４１に半径方向に貫通させた係合孔（図示せず）に対して係脱するものである。
　【００３２】
　前記内筒部４６ａの半径外側には、円周に沿って３つ割りの扇状の基部４６ｂが設けられている。さらに、前記３つ割りの基部４６ｂの間には、フランジ４８ａ付きの軸部４８における３つの係合体５２の先端爪部５２ａがそれぞれ嵌まる略矩形状の嵌合孔５３が穿設されており、各嵌合孔５３の外周側に係合部としての段部５３ａが形成されている。なお、前記３つ割りの基部４６ｂには、前記軸部４８と対向する側面に突設し、半径方向に延びる位置決め突起５４が一体的に形成されている。
　【００３３】
　図１１（ａ）、図１１（ｂ）及び図１１（ｃ）は、ナイロン樹脂製等の合成樹脂材のフランジ４８ａ付きの軸部４８の構成を示し、筒状の基部４８ｂから円盤状のフランジ４８ａが半径外方向に突出し、前記基部４８ｂの一端には、半径がやや小さい断面円弧状の案内部４８ｃが軸線方向に延びており、前記弾性体５１及びその先端係止爪５１ａが前記基部４８ａ及び案内部４８ｃの内径部を軸線方向に貫通し得る。前記フランジ４８ａの半径中途部からは、前記基部４８ｂと逆方向に、３つの係合体５２が突出している。この各係合体５２を射出形成するための型抜き孔を利用して、前記係止孔７１が形成されているので、金型の製造コストを低減できる。
　【００３４】
　また、前記基部４８ｂとフランジ４８ａとの付け根部には、前記第１回転部材４６における各位置決め突起５４が嵌まる位置決め孔５５が穿設されている。なお、前記フランジ４８ａにおける係止孔７１の半径方向の位置は、前記位置決め孔５５の半径位置より大きく、且つ各位置決め孔５５の円周方向の配置位置の間にある。
　【００３５】
　上記の構成により、カートリッジ本体３０における巻き取り側であって、実施形態では図４に示す左側板３１ａの外側から、図９に示すごとく、軸孔５０に対して第１回転部材４６の基部４６ｂを挿入し、前記側板３１ａの内側から、軸部４８のフランジ４８ａを接近させ、前記軸孔５０に３つの係合体５２を挿入する。そして、各係合体５２の各先端爪部５２ａを前記第１回転部材４６における伝動歯車４７の内径側の各嵌合孔５３に嵌め入れる。これにより、各嵌合孔５３の外周側の段部５３ａに各先端爪部５２ａが係合し、巻取り側左スプール３８として一体となり、前記軸孔５０、ひいてはカートリッジ本体３０から抜け不能となるのである。
　【００３６】
　また、巻取り側左スプール３８として一体となった状態では、軸部４８の基部４８ｂと第１回転部材４６における３つ割りの基部４６ｂとの合わせ部での外周が円筒状となり、軸孔５０に対する、伝動歯車４７及び巻き取り側スプール３８の回転中心軸線の位置決め部となる。
　【００３７】
　上述の構成により、前記カートリッジ本体３０に取替え用インクシートセットを装着する形態について説明する。取替え用インクシートセットは、前記供給側芯管４０に新しいインクシート２１を巻回したものと、巻き取り側芯管４１とのセットであり、この芯管４１の所定の一端部近傍には前記中間アダプタ７０を予め固定しておいても良いし、中間アダプタ７０をオプション品として準備しても良い。インクシート２１の幅寸法は、芯管４１の両端間の寸法に略等しくすることが好ましい。また、予め、新しいインクシート２１の端部を前記芯管４１の外周に接着テープ等にて取付けしておく。そして、前記第１回転部材４６とフランジ４８ａ付きの軸部４８とをカートリッジ本体３０の所定の軸孔５０の箇所に抜け不能に装着して巻取り側左スプール３８を構成しておく（図１４参照）。
　【００３８】
　そして、巻き取り側の芯管４１の端部（左端）と前記巻取り側左スプール３８における軸部４８との間に中間アダプタ７０を介挿し、前記軸部４８に芯管４１を差し込む。この場合、中間アダプタを予め軸部４８における基部４８ｂに被嵌し、且つフランジ４８ａの係止孔７１に対して第１係合突起７２を嵌合しておいても良い。
　【００３９】
　他方、前記芯管４１の右端に巻き取り側右スプール３９を差し込み装着する。供給側の芯管４０の両端に図８に示すように、供給側左スプール３６及び供給側右スプール３７をそれぞれ差し込んで装着する。
　【００４０】
　上述のように、４箇所のスプール３６、３７、３８、３９のうち１箇所のスプール（巻取り側左スプール３８）がカートリッジ本体３０に対して抜け不能に装着されているから、例えば前記の実施形態では伝動歯車４７の配置側がカートリッジ本体３０の左右いずれかであることが明瞭となり、ユーザーが新しいインクシート２１に交換する場合に芯管４０、４１の両端を各スプールに取付けするときの方向等の誤りが少なくなり、迅速且つ容易にインクシート２１の交換ができるのである。
　【００４１】
　そして、一つの芯管４１の一端にのみ中間アダプタ７０が介挿される状態となるので、内径が前記中間アダプタ７０に適合しない芯管４１を使用する巻き取り側スプールは本発明のインクシートカートリッジ２０に装着できず、本出願人が製造したファクシミリ装置等の画像形成装置に誤って、品質の異なるインクシート２１が装着されるという誤使用がなくなり、正規のインクシート２１を使用しないことによる印字品質の悪化、印字不良等のトラブルを防止することができる。
　【００４２】
　上記の状態で、前記巻き取り側右スプール３９、供給側左スプール３６及び供給側右スプール３７をそれぞれカートリッジ本体３０における軸支持溝部３３、３３、３３に嵌め入れ、インクシート２１を弛まないように巻き取り側の芯管４１を回動させる。
　【００４３】
　上記の構成のインクシートカートリッジ２０をファクシミリ装置１の収納部１３にセットすると、カートリッジ本体としてのカートリッジ本体３０の左右両側板３１ａ，３１ｂ等の箇所が所定姿勢で支持され、このとき、巻取り側右スプール３９及び供給側右スプール３７における外筒４４，４４の内径部が図示しない前記本体フレーム側に突設された軸部（図示せず）に被嵌する一方、供給側左スプール３６と巻取り側左スプール３８における歯車部４５及び伝動歯車４７はそれぞれ動力伝動用のギヤ（図示せず）に噛み合うと共に、供給側左スプール３６と巻取り側左スプール３８における外軸の内径部は、前記本体フレーム側から軸線方向に弾力的に突設された軸部（図示せず）に被嵌する。この結果、供給側シートスプール２５及び巻取り側シートスプール２６は円滑に回転し得ることになる。
　【００４４】
　操作パネル３における印字指令もしくは図示しない外部のコンピュータからの印字指令コマンドの出力、又は他のファクシミリ装置からのファクシミリデータの受信により、前記制御用基板２９が作動し、印字（記録）作業が開始されると、まず、給紙ローラ１５が回転し、給紙開始する。記録紙４の先端が図示しない紙センサを検知してから所定距離搬送され、プラテン１７に接近すると、プラテン１７及びインクシートカートリッジ２０における歯車部４５及び伝動歯車４７に動力が伝達され、第１回転部材４６とフランジ４８ａ付き軸部４８とは一体であり、且つ該軸部４８と芯管４１との間に、第１係合突起７２及び第２係合突起７３を備えた中間アダプタ７０が介挿されているから、所定のインクシート２１の巻き取り方向への伝動歯車４７の回転力を芯管４１に伝達することができる（図１５参照）。その結果、インクシート２１の搬送と記録紙４の送りとが開始され、印字部であるサーマルヘッド２２での印字が行われる。
　【００４５】
　インクシート２１と記録紙４とがプラテン１７とサーマルヘッド２２とで挟まれた状態で印字された直後は、サーマルヘッド２２の発熱抵抗体による発熱にてインクシート２１におけるインクが印字のデータ（キャラクタ）に応じて溶けて、記録紙４に写り、次いでインクが冷却されることでインクシート２１が記録紙４の表面に付着した状態が続く。テンション体２３の頂面２３ａの箇所で、インクシート２１は、図２に示すように、巻き取り側シートスプール２６の外周下辺側に巻き込まれるべく、下向きに大きく屈曲することで、記録紙４へのインクによる膠着が解除される。他方、下面が印字面となる記録紙４は、前記仕切り板２４の上面に載って搬送されることで、当該記録紙４とインクシート２１との搬送経路が確実に分離できるのである。なお、仕切り板２４の先端（テンション体２３の頂面２３ａに近い側）で、下向きに屈曲させることにより、フリー状態の記録紙４の先端（搬送下流側）を掬いあげて、記録紙４が下向きに移動するのを防止できる。
　【００４６】
　そして、使用するインクシート２１の厚さや幅寸法、及びインクシート２１の材質に応じて使用する芯管４１の直径（内径）に合わせた中間アダプタ７０は、適宜設定でき、使用するインクシート２１に応じて中間アダプタ７０が取り替え可能であるから、ユーザーは購入した交換用インクシート２１（前記芯管４０及び４１と中間アダプタ７０とがセットになったもの）をそのまま画像形成装置に装着すれば良いのである。また、一つの芯管の一端にのみ中間アダプタが介挿される状態となるので、内径が前記中間アダプタに適合しない芯管を使用する巻き取り側スプールは本発明のインクシートカートリッジに装着できず、正規のファクシミリ装置等の画像形成装置に誤って、品質の異なるインクシートが装着されるという誤使用がなくなり、正規のインクシートを使用しないことによる印字品質の悪化、印字不良等のトラブルを防止することができたり、正規のインクシートを使用すれば発揮できる正常な印字性能を発揮できなくなる等、画像形成装置が正常に作動しなくなるというトラブルが解消できるという効果を奏する。
　【００４７】
　なお、図５に示すように、仕切り板２４の上面に多数本の突条２４ａを搬送方向に沿って長手状に形成しておけば、印字面を下向きにした状態の記録紙４が通過するとき、印字面を広く擦ることがなく、インクの付着による記録紙４の汚れを少なくできる。
　【００４８】
　上記実施形態では、本発明をファクシミリ装置に適用したが、もちろんこれに限るものではなく、プリンタ、複写機、あるいはそれらの複数の機能を備えた機器などの各種画像形成装置に用いることができる。
　【００４９】
　【発明の効果】
　以上説明したように請求項１に記載の発明のインクシートセットにおいては、巻き取り側芯管の内径部に筒部が嵌まり、中間アダプタに形成された係合突起が巻き取り側芯管の切欠部に係合された状態で、前記係合突起が前記巻き取り側芯管に巻き取られる前記インクシートの幅寸法内に収まるように構成され、本体側からの動力が前記中間アダプタを介して前記巻き取り側芯管に直接伝達されるように構成されるので、簡単な構成で本体側から伝達される動力を芯管に確実に伝達することができる。また、使用するインクシートの厚さや幅寸法、及びインクシートの材質に応じた芯管の直径（内径）に合わせて中間アダプタを適宜設定できる。
　【００５０】
　そして、請求項２に記載の発明は、請求項１に記載のインクシートセットにおいて、中間アダプタの筒部の外周面に、凸条が形成されたものであるから、芯管に対して筒部を容易に嵌め込むことができるという効果を奏する。
　【００５１】
　【００５２】
　【００５３】
【図面の簡単な説明】
　【図１】ファクシミリ装置の側断面図である。
　【図２】印字部近傍における記録紙及びインクシートの経路示す側面図である。
　【図３】インクシートカートリッジの平面図である。
　【図４】インクシートカートリッジの前方左側から見た斜視図である。
　【図５】インクシートカートリッジの前方右側から見た斜視図である。
　【図６】インクシートカートリッジの右側面図である。
　【図７】インクシートカートリッジの左側面図である。
　【図８】インクシートカートリッジの部品の裏返した状態での分解斜視図である。
　【図９】第１回転部材４６とフランジ付き軸部４８と、中間アダプタ７０等の分解斜視図である。
　【図１０】（ａ）は第１回転部材４６の正面図、（ｂ）は図１０（ａ）のＸｂ−Ｘｂ線矢視断面図、（ｃ）は図１０（ａ）の左側面図、（ｄ）は図１０（ａ）の右側面図である。
　【図１１】（ａ）はフランジ付き軸部４８の正面図、（ｂ）は図１１（ａ）のＸＩｂ−ＸＩｂ線矢視断面図、（ｃ）は図１１（ａ）の右側面図である。
　【図１２】（ａ）はフランジ付き軸部４８の右側斜視図、（ｂ）は同じく左側斜視図である。
　【図１３】（ａ）は中間アダプタの一部切欠き正面図、（ｂ）は一部切欠き右側面図である。
　【図１４】第１回転部材４６とフランジ付き軸部４８と中間アダプタ７０との連結位置関係を示す拡大断面図である。
　【図１５】連結状態を示す拡大断面図である。
　【符号の説明】
　２０　インクシートカートリッジ
　２１　インクシート
　２４　仕切り板
　２５　供給側シートスプール
　２６　巻き取り側シートスプール
　３０　カートリッジ本体
　３１ａ，３１ｂ　側板
　３２　上カバー片
　３６〜３９　スプール
　４０、４１　芯管
　４２　内筒部
　４３、４８ａ　フランジ部
　４５　歯車部
　４６　第１回転部材
　４７　伝動歯車
　４８　軸部
　４８ｂ　基部
　５０　軸孔
　５１　弾性体
　５１ａ　係止爪
　５２　係合体
　５２ａ　先端爪部
　５３　嵌合孔
　５３ａ　段部
　５４　位置決め突起
　５５　位置決め孔
　６０　切欠き溝
　７０　中間アダプタ
　７０ａ　筒部
　７０ｂ　鍔部
　７１　係止孔
　７２　第１係合突起
　７３　第２係合突起